(57)【特許請求の範囲】
【請求項１】
実行する検査内容を事前に登録する登録手段と、この登録手段によって登録された検査内容を記憶する記憶手段とを備え、この登録された検査内容に基づき検査を実行する自覚式検眼装置において、
検査開始前に検眼窓を一旦遮蔽することが必要な検査内容か否かの判断を行う判断手段と、
当該検査内容が選択されたときに前記判断手段の判断結果に基づき検査開始前に前記検眼窓を一旦遮蔽し、検査用光学素子をセットした後、検眼窓の遮蔽を解除する遮蔽・解除手段とを備えていることを特徴とする自覚式検眼装置。
【請求項２】
前記登録手段は、検者が検査内容毎に検眼窓を遮蔽するか否かを個別に指定して登録可能であることを特徴とする請求項１に記載の自覚式検眼装置。
【請求項３】
前記検眼窓の遮蔽が一旦必要な検査内容が、両眼で実行される検査内容であることを特徴とする請求項１に記載の自覚式検眼装置。
【請求項４】
前記登録手段は、一連の検査に使用する視標チャートの種類とその視標チャートの提示順序とをあらかじめ登録可能であることを特徴とする請求項１に記載の自覚式検眼装置。
【請求項５】
前記登録手段は、あらかじめ準備された検査名の中から検査内容を選択可能であることを特徴とする請求項１に記載の自覚式検眼装置。
【発明の詳細な説明】
【０００１】
【発明の属する技術分野】
本発明は、実行する検査内容と検査手順とを事前に登録して、登録された手順、内容に沿って自動的に検眼検査を進行させることのできる自覚式検眼装置に関する。
【０００２】
【従来の技術】
従来から、自覚式検眼装置には、実行する検査内容と検査手順とを事前に登録する登録手段と、この登録手段によって登録された検査内容、検査手順を記憶する記憶手段とを備え、この登録された検査内容、検査手順に従って次の検査ステップに移行させることができるものが知られている。
【０００３】
この種の自覚式検眼装置は、視標提示装置、コントローラ、左右対称形のフォロプタから大略構成されている。その各フォロプタの内部には例えば回転ディスクが設けられ、この回転ディスクには検査用光学素子、検査用補助光学素子が回転方向に適宜間隔をあけて設けられ、検査内容に応じてその検査内容に対応する検査用光学素子がそのフォロプタの検眼窓にそれぞれセットされるようにされている。
【０００４】
被検者はその検眼窓を通じて視標提示装置に提示されている視標チャートを見つつ、検者の質問に応答することによって検査を受けるものである。
【０００５】
この自覚式検眼装置では、裸眼視力検査、乱視検査（放射線視標チャートの提示による検査、点群チャートとクロスシリンダーとを用いる検査）、レッド・グリーンチャートを提示してのレッド・グリーン検査、両眼バランス検査、十字斜位検査、不透視像検査等の各種の検査を行うことができるようになっている。
【０００６】
【発明が解決しようとする課題】
ところで、例えば、放射線チャートを用いての乱視検査では、被検者の視力が０．１程度になるまで検査用光学素子としての球面レンズの度数を増加させて一旦被検者に雲霧をかけ、その後、被検者の視力が０．５程度になるまで球面レンズの度数を−０．２５Ｄずつ減少させて、放射線視標チャートを被検者に提示する検査を行っている。
【０００７】
また、例えば、十字斜位検査では、補助光学素子としての偏光フィルター（右眼１３５度方向、左眼４５度方向）又はロータリープリズムを検眼窓にセットし、十字斜位視標チャートを被検者に提示する検査を行っている。
【０００８】
ところが、球面レンズ、ロータリープリズムを検眼窓にセットする過程で、検眼窓を通じて視標提示装置に提示された視標が被検者に見える状態であると、その検査用光学素子のセットの過程で被検者が無意識のうちに調節を働かせることがある。このように検査開始前に調節が働いている状態では、その検査について精度の高い検査を行うことができないという問題がある。
【０００９】
そこで、従来、熟練の検者は、手動で検眼窓を遮蔽する遮蔽板を検眼窓にセットしたり、被検者の眼前を手で覆い隠す等の手段をとっているが、自覚式の検眼検査は、被検者と検者との間での質問・応答が繰り返されつつ複雑な手順を経て進行するものであるから、検査手順が複雑化すると、熟練の検者をもってしても、検査効率が低下すると共に、精度の高い検査を期待できない結果を招くことになる。
【００１０】
本発明は、上記の事情に鑑みて為されたもので、検眼窓の遮蔽が一旦必要な検査を実行する時には検査開始前に検者が逐一手動で検眼窓を遮蔽することなく、自動的に検眼窓を一旦遮蔽することができるようにした自覚式検眼装置を提供する。
【００１１】
【課題を解決するための手段】
請求項１に記載の自覚式検眼装置は、実行する検査内容を事前に登録する登録手段と、この登録手段によって登録された検査内容を記憶する記憶手段とを備え、この登録された検査内容に基づき検査を実行する自覚式検眼装置において、
検査開始前に検眼窓を一旦遮蔽することが必要な検査内容か否かの判断を行う判断手段と、
当該検査内容が選択されたときに前記判断手段の判断結果に基づき検査開始前に前記検眼窓を一旦遮蔽し、検査用光学素子をセットした後、検眼窓の遮蔽を解除する遮蔽・解除手段とを備えていることを特徴とする。
【００１３】
請求項２に記載の自覚式検眼装置は、前記登録手段が、検者が検査内容毎に検眼窓を遮蔽するか否かを個別に指定して登録可能であることを特徴とする。
【００１４】
請求項３に記載の自覚式検眼装置は、前記検眼窓の遮蔽が一旦必要な検査内容が、両眼で実行される検査内容であることを特徴とする。
【００１５】
請求項４に記載の自覚式検眼装置は、前記登録手段が、一連の検査に使用する視標チャートの種類とその視標チャートの提示順序とをあらかじめ登録可能であることを特徴とする。
【００１６】
請求項５に記載の自覚式検眼装置は、前記登録手段が、あらかじめ準備された検査名の中から検査内容を選択可能であることを特徴とする。
【００１７】
【発明の実施の形態】
以下、この発明に係わる自覚式検眼装置の発明の実施の形態を図面を参照しつつ説明する。
[全体]
図１において、１０は自覚式検眼装置を示し、自覚式検眼装置１０は、視標提示装置１１、コントローラ１２、左右対称形のフォロプタ１３から大略構成されている。
【００１８】
コントローラ１２は図８に示すようにその内部にＣＰＵ１２’とメモリ６９とを有する。ＣＰＵ１２’はインターフェースを介してフォロプタ１３の駆動制御部、視標提示装置１１の駆動制御部に接続されている。フォロプタ１３の各パルスモータＭ１〜Ｍ６はそのコントローラー１２の登録された検査内容によって制御され、視標提示装置１１の駆動制御部も同様である。
[コントローラ１２]
コントローラ１２は検眼テーブル１４に載置されている。検眼テーブル１４には上下方向に伸縮可能の支柱１５が設けられ、支柱１５には支持アーム１６が回動可能に設けられている。フォロプタ１３はその支持アーム１６に支持されている。
【００１９】
コントローラ１２は操作盤１７とモニター用の液晶表示盤１８とマウス１９とから大略構成されている。その操作盤１７、マウス１９によって視標提示装置１１の視標チャート２０の選択、フォロプタ１３の制御を行うことができるようになっている。
[フォロプタ１３]
フォロプタ１３には、検眼窓１３Ｌ、１３Ｒが設けられている。被検者２１はこの検眼窓１３Ｌ、１３Ｒを通じて視標チャート２０を見ることにより視力検査を受けるものである。
【００２０】
フォロプタ１３は周知の通り左右対称構造であるので、左側部分（被検者２１の左眼Ｅを検査する部分）についてのみ図２を参照しつつ説明する。
【００２１】
その図２において、２２は左眼対応部のケースを示す。そのケース２２内には軸２４が設けられ、この軸２４に回転ディスク２５〜２９が回転可能に設けられている。各回転ディスク２５〜２９には図３に示すように周回り方向に等間隔を開けて円形開口３０が設けられ、その各回転ディスク２５〜２９の外周部にはギヤ２５Ｇ〜２９Ｇが形成されている。
【００２２】
各ギヤ２５Ｇ〜２９Ｇには駆動ギヤＫ１〜Ｋ５が噛み合わされ、駆動ギヤＫ１〜Ｋ５はパルスモータＭ１〜Ｍ５（Ｍ１〜Ｍ４は図２には示されていない）によって回転駆動される。
【００２３】
回転ディスク２５の複数の円形開口３０には、検査用光学素子として、０．２５Ｄずつ球面度数が異なる複数の球面度数レンズが一枚ずつ嵌合され、回転ディスク２６の複数の円形開口３０には、３Ｄずつ球面度数の異なる複数の球面度数レンズが１枚ずつ嵌合され、回転ディスク２７の各円形開口３０には、検査用光学素子として、乱視レンズがそれぞれ嵌合され、回転ディスク２８の各円形開口３０には、検査用補助光学素子としての遮光板、ピンホール、マドックスレンズ、レッドフィルタ、グリーンフィルタ（レッドグリーンフィルタ）、ロータリプリズムがそれぞれ嵌合されている。
【００２４】
回転ディスク２９には、図４に示すように、クロスシリンダ検査を行うためのクロスシリンダ４１と偏光板４０及び遮光板３０Ｂが装着されるものである。
【００２５】
回転ディスク２９は太陽歯車３１を備えている。太陽歯車３１は、大径歯車３２と小径歯車３３とから構成され、小径歯車３３には駆動ギヤＫ６が噛み合わされ、その小径歯車３３はパルスモータＭ６によって回転駆動される。
【００２６】
回転ディスク２９の各円形開口３０には、図４に示すようにホルダー３４、３５〜３９が回転可能に設けられている。ホルダー３４には検査用補助光学素子としての偏光板４０が設けられ、ホルダー３５〜３９には検査用光学素子としての度数の異なるクロスシリンダー４１が設けられている。
【００２７】
そのホルダー３４〜３９の外周部にはギヤ４２が設けられ、各ギヤ４２には大径歯車３２が噛み合わされ、ホルダー３４〜３９はパルスモータＭ６によって検査光軸４３の回りに回転可能とされている。
【００２８】
なお、各回転ディスク２５〜２９の円形開口３０には、矯正力をかけない状態での検眼検査を行うために素通しとされているものが少なくとも１個ある。この素通しの開口３０に符号３０Ａを付する。また、各回転ディスク２５〜２９の円形開口３０には素通し開口３０Ａに隣接して被検者２１が視標チャート２０を視認することができないようにするため、遮蔽板３０Ｂが設けられている。
【００２９】
左眼検査用の偏光板４０の偏光方向は基準位置では水平方向に対しての偏光方向が１３５度方向を向くように設定されている。これに対して、右眼検査用の偏光板（図示を略す）の偏光方向は４５度方向を向くように設定され、右眼用の偏光板と左眼用の偏光板とは互いに直交する状態で、検眼窓１３Ｌ、１３Ｒにセットされる。
[視標提示装置１１]
図５に示すように、視標提示装置１１にはその本体４２内に視標光学系４３が設けられている。視標光学系４３は、光源４４、コンデンサレンズ４５、拡散板４６、視標パネル４７からなる。視標パネル４７はその拡散板４６によって均一に照明される。その視標パネル４７は複数種類準備され、検査の種類に応じて図示を略す切り替え機構によって視標光学系４３の光路内に挿入される。その視標パネル４７は視標提示窓４８を通じて被検者に提示される。
【００３０】
各視標パネル４７には、図６に示すように、ランドルト環視標チャート４７ａ（図６（ａ）参照）、乱視テスト用視標チャート４７ｂ（図６（ｂ）参照）、クロスシリンダーテスト用視標チャート（点群チャート）４７ｃ（図６（ｃ）参照）、十字斜位視標チャート４７ｄ（図６（ｄ）参照）、不透視像視標チャート４７ｅ（図６（ｅ）参照）等が準備されている。
【００３１】
その十字斜位視標チャート４７ｄ、不透視像視標チャート４７ｅには偏光フィルタが取り付けられている。例えば、十字斜位視標チャート４７ｄには、その縦線部４７ｆに偏光方向が水平方向に対して４５度の偏光フィルタが取り付けられ、横線部４７ｇに偏光方向が水平方向に対して１３５度の偏光フィルタが取り付けられている。
（コントローラ１２）
コントローラ１２は、操作部５０を有する。この操作部５０は図７に拡大して示すようにチャート選択スイッチ部５１、基本操作スイッチ部５２、機能選択スイッチ部５３、比較スイッチ部５４、特殊機能スイッチ部５５、５６からなる。
【００３２】
チャート選択スイッチ部５１は視標チャートを指定するスイッチ群で、このスイッチ群のいずれか一つを操作すると、その操作されたスイッチに対応する視標パネル４７が視標光学系４３の光路内に挿入されると共に、液晶表示盤１８の画面に対応する視標チャートが表示される。
【００３３】
基本操作スイッチ部５２は球面、乱視度数、乱視軸の検査を行うためのスイッチ群とクロスシリンダーテストを行うためのスイッチ群からなり、測定眼指定スイッチ５７、左眼開閉スイッチ５８、右眼開閉スイッチ５９、検査コース指定スイッチ６０、「１」スイッチ６１、「２」スイッチ６２、ダイヤル６３、その他のスイッチから構成されている。
【００３４】
測定眼指定スイッチ５７は測定眼が左眼であるのか、右眼であるのか、両眼であるのかを選択するためのスイッチであり、左眼開閉スイッチ５８は検眼窓１３Ｌに遮蔽板を挿入して被検者の左眼で視標チャート２０を見えなくするためのスイッチであり、右眼開閉スイッチ５９は検眼窓１３Ｒに遮蔽板を挿入して被検者の右眼で視標チャート２０を見えなくするためのスイッチである。また、検査コース指定スイッチ６０はプログラムを開始するためのスイッチで、検査コース指定スイッチ６０を押すと液晶表示盤１８の画面に実行可能なプログラム一覧が表示される。
「１」スイッチ６１、「２」スイッチ６２は乱視軸検査、乱視度数検査においてクロスシリンダレンズを駆動するのに用いられ、ダイヤル６３は主にフォロプター１３中の回転ディスク２５〜２８を回転させ、検眼窓１３Ｌ、１３Ｒに配置される検査光学素子を切り替えるために使用される。なお、６３’は検眼プログラムを現在実施中の検査から次の検査へ移行するための送りスイッチである。
【００３５】
検査コース指定スイッチ６０を押すと、液晶表示盤１８の画面に予め登録されている検査コースの一覧が表示され、その一覧表の中から特定の検査プログラムをマウス１９で選択すると、その検査コースが実行される。検査プログラムの進行手順は本発明とは直接関連しないので、その詳細な説明は省略する。
【００３６】
コントローラ１２のメモリ６９には、検査コースを実行するための実行用プログラムと、実行する検査コースを事前に登録するための登録用プログラムとが記憶されている。
【００３７】
マウス１９により検査コースを事前に登録する登録プログラムを選択すると、検査コースを登録する登録画面６４が図９に示すように表示される。
【００３８】
その登録画面６４の画面左側には使用可能な全ての視標チャート２０の一覧表６５が表示されると共に、画面右側には、検査実行順序リスト６６が表示される。検査実行順序リスト６６は、実行順序を意味する「Ｎｏ及び１、２、…の数字」と、選択された視標チャートを表示する表示欄６７と、その選択された視標チャートにより実行される検査名を表示する表示欄６８とからなっている。なお、図９中、符号Ｐはマウス１９を用いて対象を選択するためのポインタである。
【００３９】
検者７０がマウス１９を用いて選択したい視標チャート２０上にポインタＰを移動させ、マウス１９の左ボタンをダブルクリックすると、検査実行順序リスト６６に、その選択された視標チャート２０により実行されるべき検査名と視標チャート２０とが指定順に表示される。
【００４０】
この登録画面６４によれば、一連の検査に使用する視標チャート２０の種類とその視標チャート２０の提示順序とがあらかじめ登録可能である。この一連の検査に使用する視標チャート２０の種類とその視標チャート２０の提示順序とは図８に示す記憶手段としてのメモリ６９に記憶される。
【００４１】
上記検査コースは視標の種類等を変えて、複数種類登録できるようにしておき、検査の目的に応じて適宜選択できるようにしておくとよい。
【００４２】
ここで、検査コースの登録が為された後、コントローラ１２の検査コース指定スイッチ６０を操作すると、登録済みのコースが小画面上に表示される。検者７０は液晶表示盤１８の表示画面上で表示された検査コースのうちから一つを選択する。これにより、前述の登録画面６４で選択した視標チャート２０が選択した通りの順序で提示され、検眼コースが実行されることになる。
【００４３】
図１０は選択された視標の種類に応じてフォロプタ１３やコントローラ１２をどのような状態に設定するかを検者７０が決定するための第２の登録画面（設定画面）である。
【００４４】
例えば、図９において、Ｎｏ．４の欄に表示された視標チャート２０（０．５〜０．７のランドルト環）をマウス１９の左ボタンでダブルクリックすると、図１０に示す登録画面７１となる。
【００４５】
その図１０において、７２は検査名リストであり、ダブルクリックにより選択された視標に対応する検査名のみが反転表示されている。ここでは、「球面度テスト／遠用視力測定」が反転表示されている。７３は登録を変更するために選択された視標チャート２０を表示する表示部であり、チャートに縦一列のマスクをすることを設定するマスク設定部７３ａ、同じく横一列のマスクを設定する設定部７４ｂを有する。
【００４６】
７４は視標チャート２０に対してレッドグリーンフィルタを常時使用するか否かの設定するための登録ボタンである。７５は登録すべき視標チャート２０に対応して検査内容のパラメータの詳細を指定するボックスであり、データ項目ボックス７５ａ、被検眼項目ボックス７５ｂ、ＫＢ−ＩＤ項目ボックス７５ｃ、雲霧量項目ボックス７５ｄからなっている。
【００４７】
各ボックスの右端にはドロップダウン矢印があり、このドロップダウン矢印をクリックすると、そのボックスの下にプルダウンメニューが表示され、任意の項目を選択できるようになっている。
【００４８】
データ項目ボックス７５ａは、既に得られているデータのうち、どのデータに基づいて検査を行うかを指定するためのものであり、例えば、裸眼視力測定用データ、オートレフラクトメータで測定されたデータ、レンズメータで測定されたデータ、図示しないデータベースから転送された前回の処方データ、自覚検眼データ、処方データの中からいずれか１つを選択する。
【００４９】
被検眼項目ボックス７５ｂは、選択中の視標チャートにより、片眼検査、両眼検査のいずれを行うかを選択するためのボックスである。ＫＢ−１Ｄ項目ボックス７５ｃは、選択中の視標チャートにより、球面度数検査、乱視度数検査、乱視軸検査、水平プリズム検査、垂直プリズム検査のいずれを行うかを選択可能にしたものである。また、雲霧量項目ボックス７５ｄは、選択中の視標チャートを雲霧させて被検眼に提示するか否か、雲霧させるのであれば雲霧量をどの程度にするのかを選択するためのものであり、例えば、雲霧なし、０．２５Ｄ、０．５０Ｄ、０．７５Ｄ、１．０Ｄ等を選択できるようにしたものである。
【００５０】
検者は、このボックス７５により各種項目を設定することにより、選択中の視標チャートをどのような検査に使用するのかを選択することができ、この選択を登録すると、次回より選択された通りの状態を得るように、各種光学素子が自動的に検眼窓１３Ｌ、１３Ｒ内に挿入される。
【００５１】
この選択作業をしない場合には、装置の出荷時に、デフォルトとして予めメモリ６９に記憶された設定内容に基づき、各種光学素子の検眼窓１３への移動が行われる。
【００５２】
例えば、０．５〜０．７のランドルト環が選択された場合には、データ項目ボックス７５ａは「遠用視力検査」、被検眼項目ボックス７５ｂは「片眼検査」、ＫＢ−１Ｄ項目ボックスは「球面度数」、雲霧量項目ボックス７５ｄは「雲霧なし」が表示されるよう、予め装置の出荷時に設定がなされ、検査コース実行時にはこの出荷時の設定に合わせた光学素子の移動が行われるようになっている。
【００５３】
符号７６は選択中の視標チャートに対応して検眼窓１３Ｌ、１３Ｒに配置すべき検査用補助光学素子（偏光板、ピンホール、遮光板等）をグラフィック表示する表示部を示しており、符号７６ａは左眼用補助光学素子のグラフィック表示部、符号７６ｂは右眼用補助光学素子のグラフィック表示部である。
【００５４】
この表示部７６には、選択中の視標チャートを使用する場合に、通常使用される検査用補助光学素子が表示されており、実際に検査コースが実行され、その視標チャートが挿入される段階になったときには、当該表示されている検査用光学素子が自動的に検眼窓１３Ｌ、１３Ｒ内に挿入されるようになっている。
【００５５】
例えば、図１０に示すようなランドルト環チャートが選択されている場合には、開口を示すグラフィックが表示される。なお、本実施例においては、ランドルト環チャートに関し、上述の被検眼項目ボックス７５ｂにより「片眼検査」が指定されるか「両眼検査」が指定されるかに拘わらず、左右両方の表示部７６は開口を示す白い円板の表示としている。実際には、ボックス７５ｂにより「片眼検査」が指定されている場合には、非検査側の検眼窓は遮光板により遮光される。しかし、本実施例では、検査側に関しては開口とされることが示されれば十分であるので、左右両方の表示部７６を開口の表示としている。
【００５６】
図６（ｄ）に示すような十字斜位チャートを使用する場合には、通常左右の検眼窓１３Ｌ、１３Ｒにそれぞれ４５度、１３５度の偏光板を使用するので、十字斜位チャートの場合には、表示部７６には偏光板を示すグラフィック表示がなされる。
【００５７】
こうした通常使用される補助光学素子をそのまま使用したいならば、検者は何も操作をする必要はない。一方、表示されている補助光学素子以外の補助光学素子を使用したい場合には、表示部７６にポインタｐを移動させ、マウス１９の左ボタンをダブルクリックするか、又は、表示部７６上方の「補助レンズ変更」アイコン７６ｃをクリックする。すると、表示されていた補助光学素子以外の補助光学素子の図柄が小画面に現れるので、検者は、所望の補助光学素子をクリックする。
【００５８】
こうして、ボックス７５、表示部７６の変更作業を完了し、変更内容を登録したい場合には、画面右上の「ＯＫ」のアイコンをクリックする。こうして、変更登録が完了する。
【００５９】
なお、各種の検査の中には、補助光学素子の挿入前に、一旦検眼窓１３Ｌ、１３Ｒを遮光板により遮光し、必要な補助光学素子の検眼窓への挿入を終えてから遮光板を離脱させるようにしたほうが、正確な検眼作業が期待できる場合がある。例えば、プリズムを使用した斜位検査では、被検者が視標を見得る状態でプリズムを挿脱することは、被検眼の調整を誘発し、測定値の信頼度が低下するという問題がある。
【００６０】
このため、本実施例の自覚式検眼装置では、実行される検査の種類その他の情報に基づいて、検査開始前に一旦遮光板を挿入して検眼窓を遮光するか否かをコントローラ１２内のＣＰＵが自動的に判断する機能を持っており、遮光すべきと判断された場合には、次の動作が行われる。
【００６１】
例えば、両眼検査を行う場合、特に、斜位検査のように、水平プリズム、垂直プリズムを使用する検査が選択された場合に、まず回転ディスク２９を回転させ、遮光板を検眼窓１３Ｌ、１３Ｒの前に配置し、視界を遮断した後、回転ディスク２８を回転させ、ロータリープリズムを検眼窓１３Ｌ、１３Ｒ前に配置し、図示しない駆動機構によりロータリプリズムを所望のプリズム量となるまで回転させる。
【００６２】
こうして、検査ができる状態が完了したら、再び回転ディスク２９を回転させて遮光板を離脱させると共に、同じく回転ディスク２９上にある偏光板を検眼窓１３Ｒ、１３Ｌの前に配置する。遮光板から偏光板の切り換えは素早く行う必要があるので、遮光板と偏光板とは互いに隣り合った円形開口に配置するのが好ましい。このように、プリズムの設定をしている際は、遮光板により被検者の視界が遮断され、被検者はプリズムが動いていく様子、及びそれにより斜位視標の見え方が変わって行くのを見ることはないので、正確な検眼をすることができる。
【００６３】
検査開始前に一旦遮光板を挿入して検眼窓を遮光するか否かをの自動判断は、検査名リストが何かによって行ってもよいし、また、ボックス７５ｃにより、水平プリズム又は垂直プリズムのいずれかが選択されているか否かにより行ってもよい。
【００６４】
また、ボックス７５ｄにより、自動雲霧がなされるように設定されているときには、雲霧動作中に被検者が視標を見られるような状態にされていると、被検眼に調節力が働いて正確な検眼を行うことができなくなる虞がある。
【００６５】
そこで、雲霧動作中は回転ディスク２９上の遮光板を検眼窓１３Ｌ、１３Ｒの前に配置し、被検者の視標の見え方が変わって行くのを見えないようにし、雲霧動作が終わってから遮光板を検眼窓１３Ｌ、１３Ｒの前から離脱させるようにする。これにより、正確な検眼をすることができる。
【００６６】
次に、上記のような設定動作が完了した後の、検査コースの進行について、特に検査開始前に検査窓を一旦遮光する動作を中心に説明する。
【００６７】
検査コース指定スイッチ６０により所望の検査コースが選択されると、メモリ６９に記憶されている実行用プログラムに沿って、検査コースが実行される。すなわち、図９、図１０で説明した登録用プログラムにより設定された情報に基づいて、選択された視標チャート２０が所定の手順で提示されるとともに、フォロプタ１３内の回転ディスク２５〜２９が駆動制御され、これにより指定された光学素子が検眼窓１３Ｌ、１３Ｒ内に挿入、離脱される。
【００６８】
また、提示されようとする視標チャートに関し、検査開始前に一旦検眼窓１３Ｌ、１３Ｒを遮光する旨の登録が登録プログラムにおいてなされているときは、これに基づき、ＣＰＵ１２’からフォロプタ１３’に向けて回転ディスク２９を回転させて遮光板３０Ｂを挿入させる旨の駆動信号が出力される。
【００６９】
例えば、実行用プログラムにおいて、十字斜位チャートの使用時には、水平プリズム（又は垂直プリズム）を使用することが、ＫＢ−１Ｄ項目ボックス７５ｃにより設定されている場合には、ＣＰＵ１２’からＣＰＵ１３’に向けて駆動信号が出力され、これに基づき回転ディスク２９が駆動制御され、遮光板が検眼窓１３Ｌ、１３Ｒの前に一旦挿入され、視界を遮断する。
【００７０】
その後、回転ディスク２８を回転させ、ロータリープリズムを検眼窓１３Ｌ、１３Ｒの前に配置し、図示をしない駆動機構により、ロータリープリズムを所望のプリズム量となるまで回転させる。こうして、検査ができる状態が完了したら、再び回転ディスク２９を回転させて遮光板を離脱させると共に、同じく回転ディスク２９上にある偏光板を検眼窓１３Ｒ、１３Ｌの前に配置する。このように、プリズムの設定をしている際は、遮光板により被検者の視界が遮断され、被検者はプリズムが動いていく様子、及びそれにより斜位視標の見え方が変わって行くのを見ることはないので、正確な検眼をすることができる。
【００７１】
以上、発明の実施の形態では、検査用補助光学素子を検眼窓１３Ｌ、１３Ｒにセットする前に一旦被検者２１の視界を遮るか否かを自動的に判断させることにしたが、図１１に示すように、遮蔽チェックボタン項目７８を設け、検者７０に遮蔽の有無を登録させ、その登録した検査を行うときにのみ検査用補助光学素子をセットする前に一旦被検者２１の視界を遮るために遮蔽板３０Ｂを検眼窓１３Ｌ、１３Ｒにセットする構成とすることもできる。
【００７２】
また、実施例においては、回転ディスク２９に配置された遮光板２９により検眼窓の一旦遮蔽を行うことにしたが、別のディスクや遮光板専用のディスクを設け、これにより遮蔽動作を行うようにしてもよい。
【００７３】
【発明の効果】
本発明によれば、検眼窓の遮蔽が一旦必要な検査を実行する時には検査開始前に検者が逐一手動で検眼窓を遮蔽することなく、自動的に検眼窓を一旦遮蔽することができるようにしたので、検査に不慣れな検者の場合には、検査の精度の向上を期待でき、熟練の検者の場合には、迅速にかつ効率よく検査を行うことができる。
【図面の簡単な説明】
【図１】  本発明に係わる自覚式検眼装置の斜視図である。
【図２】  図１に示すフォロプタの内部構造の一例を示す図である。
【図３】  図２に示す回転ディスクの構成の一例を示す図である。
【図４】  図２に示す太陽歯車を備えた回転ディスクの一例を示す図である。
【図５】  図１に示す視標提示装置の内部構成の概要を示す図である。
【図６】  図１に示す視標提示装置に提示される視標チャートの一例を示す図であって、（ａ）はランドルト環、（ｂ）は放射線チャート、（ｃ）は点群チャート、（ｄ）は十字斜位チャート、（ｅ）は不透視像チャートをそれぞれ示す。
【図７】  図１に示すコントローラの操作部の平面図である。
【図８】  図１に示すコントローラとフォロプタと液晶表示盤と視標提示装置との通信接続関係の概略を示すブロック図である。
【図９】  液晶表示盤に表示された検査順序の指定登録画面の一例を示す説明図である。
【図１０】  液晶表示盤に表示された登録画面の一例を示す説明図である。
【図１１】  液晶表示盤に表示された登録画面の他の例を示す説明図である。
【符号の説明】
１０…自覚式検眼装置
１２…コントローラ（登録手段、判断手段）
５９…記憶手段
１３Ｌ、１３Ｒ…検眼窓
Ｍ１〜Ｍ６…パルスモータ（遮蔽解除手段）
【図１】
0004629853.tif 000002
【図２】
0004629853.tif 000003
【図３】
0004629853.tif 000004
【図４】
0004629853.tif 000005
【図５】
0004629853.tif 000006
【図６】
0004629853.tif 000007
【図７】
0004629853.tif 000008
【図８】
0004629853.tif 000009
【図９】
0004629853.tif 000010
【図１０】
0004629853.tif 000011
【図１１】
0004629853.tif 000012